【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
少なくとも第１の色に発光する第１のＬＥＤと第２の色に発光する第２のＬＥＤが画素毎に配置されたＬＥＤユニットと、前記ＬＥＤユニットに接続され前記第１のＬＥＤと前記第２のＬＥＤそれぞれに対し少なくとも各ＬＥＤの発光期間を決定する階調データを供給するデータ供給部と、を備えるＬＥＤ駆動システムにおいて、
前記データ供給部は、データ制御部に接続された階調データ変換部と、該階調データ変換部と前記ＬＥＤユニットに接続された階調データ加算部とを有しており、
前記階調データ変換部は、
前記データ制御部から供給される本来前記第１のＬＥＤで発光させるべき色に関する階調データを、第１の関数に基づいて、前記第１のＬＥＤに対する階調データと、前記第１のＬＥＤによる発光を補正するための第２のＬＥＤに対する階調データとに変換して前記階調データ加算部に出力する第１の階調データ変換手段と、
前記データ制御部から供給される本来前記第２のＬＥＤで発光させるべき色に関する階調データを、第２の関数に基づいて、前記第２のＬＥＤに対する階調データと、前記第２のＬＥＤによる発光を補正するための第１のＬＥＤに対する階調データとに変換して前記階調データ加算部に出力する第２の階調データ変換手段と、を備えており、
さらに、前記階調データ変換部は、
前記第１の関数および前記第２の関数を求める際に流した駆動電流とは大きさが異なる駆動電流により求められた第３の関数および第４の関数を有しており、
前記データ制御部から供給される本来前記第１のＬＥＤで発光させるべき色に関する階調データを、前記第３の関数に基づいて、前記第１のＬＥＤに対する階調データと、前記第１のＬＥＤによる発光を補正するための第２のＬＥＤに対する階調データとに変換して前記階調データ加算部に出力する第３の階調データ変換手段と、
前記データ制御部から供給される本来前記第２のＬＥＤで発光させるべき色に関する階調データを、前記第４の関数に基づいて、前記第２のＬＥＤに対する階調データと、前記第２のＬＥＤによる発光を補正するための第１のＬＥＤに対する階調データとに変換して前記階調データ加算部に出力する第４の階調データ変換手段と、を備えており、
前記階調データ加算部は、
前記データ制御部から供給される本来前記第１のＬＥＤで発光させるべき色に関する階調データを、前記第１又は前記第３の関数に基づいて変換した、前記第１のＬＥＤに対する階調データと、前記データ制御部から供給される本来前記第２のＬＥＤで発光させるべき色に関する階調データを、前記第２又は前記第４の関数に基づいて変換した、前記第２のＬＥＤによる発光を補正するための第１のＬＥＤに対する階調データと、を加算して前記ＬＥＤユニットに出力する第１の階調データ加算手段と、
前記データ制御部から供給される本来前記第２のＬＥＤで発光させるべき色に関する階調データを、前記第２又は前記第４の関数に基づいて変換した、前記第２のＬＥＤに対する階調データと、前記データ制御部から供給される本来前記第１のＬＥＤで発光させるべき色に関する階調データを、前記第１又は前記第３の関数に基づいて変換した、前記第１のＬＥＤによる発光を補正するための第２のＬＥＤに対する階調データと、を加算して前記ＬＥＤユニットに出力する第２の階調データ加算手段と、を備えていること特徴とするＬＥＤ駆動システム。
【請求項２】
少なくとも第１の色に発光する第１のＬＥＤと第２の色に発光する第２のＬＥＤと第３の色に発光する第３のＬＥＤが画素毎に配置されたＬＥＤユニットと、前記ＬＥＤユニットに接続され前記第１のＬＥＤと前記第２のＬＥＤと前記第３のＬＥＤのそれぞれに対し少なくとも各ＬＥＤの発光期間を決定する階調データを供給するデータ供給部とを備えるＬＥＤ駆動システムにおいて、
前記データ供給部は、データ制御部に接続された階調データ変換部と、該階調データ変換部と前記ＬＥＤユニットに接続された階調データ加算部とを有しており、
前記階調データ変換部は、
前記データ制御部から供給される本来前記第１のＬＥＤで発光させるべき色に関する階調データを、第１の関数に基づいて、前記第１のＬＥＤに対する階調データと、前記第１のＬＥＤによる発光を補正するための第２のＬＥＤに対する階調データと、前記第１のＬＥＤによる発光を補正するための第３のＬＥＤに対する階調データとに変換して前記階調データ加算部に出力する第１の階調データ変換手段と、
前記データ制御部から供給される本来前記第２のＬＥＤで発光させるべき色に関する階調データを、第２の関数に基づいて、前記第２のＬＥＤに対する階調データと、前記第２のＬＥＤによる発光を補正するための第１のＬＥＤに対する階調データと、前記第２のＬＥＤによる発光を補正するための第３のＬＥＤに対する階調データとに変換して前記階調データ加算部に出力する第２の階調データ変換手段と、
前記データ制御部から供給される本来前記第３のＬＥＤで発光させるべき色に関する階調データを、第３の関数に基づいて、前記第３のＬＥＤに対する階調データと、前記第３のＬＥＤによる発光を補正するための第１のＬＥＤに対する階調データと、前記第３のＬＥＤによる発光を補正するための第２のＬＥＤに対する階調データとに変換して前記階調データ加算部に出力する第３の階調データ変換手段と、から選択された少なくとも１つの階調データ変換手段を備えており、
さらに、前記階調データ変換部は、
前記第１乃至第３の関数を求める際に流した駆動電流とは大きさが異なる駆動電流により求められた第４の関数、第５の関数および第６の関数を有しており、
前記データ制御部から供給される本来前記第１のＬＥＤで発光させるべき色に関する階調データを、前記第４の関数に基づいて、前記第１のＬＥＤに対する階調データと、前記第１のＬＥＤによる発光を補正するための第２のＬＥＤに対する階調データと、前記第１のＬＥＤによる発光を補正するための第３のＬＥＤに対する階調データとに変換して前記階調データ加算部に出力する第４の階調データ変換手段と、
前記データ制御部から供給される本来前記第２のＬＥＤで発光させるべき色に関する階調データを、前記第５の関数に基づいて、前記第２のＬＥＤに対する階調データと、前記第２のＬＥＤによる発光を補正するための第１のＬＥＤに対する階調データと、前記第２のＬＥＤによる発光を補正するための第３のＬＥＤに対する階調データとに変換して前記階調データ加算部に出力する第５の階調データ変換手段と、
前記データ制御部から供給される本来前記第３のＬＥＤで発光させるべき色に関する階調データを、前記第６の関数に基づいて、前記第３のＬＥＤに対する階調データと、前記第３のＬＥＤによる発光を補正するための第１のＬＥＤに対する階調データと、前記第３のＬＥＤによる発光を補正するための第２のＬＥＤに対する階調データとに変換して前記階調データ加算部に出力する第６の階調データ変換手段と、から選択された少なくとも１つの階調データ変換手段を備えており、
前記階調データ加算部は、
前記データ制御部から供給される本来前記第１のＬＥＤで発光させるべき色に関する階調データを、前記第１又は前記第４の関数に基づいて変換した、前記第１のＬＥＤに対する階調データと、前記データ制御部から供給される本来前記第２のＬＥＤで発光させるべき色に関する階調データを、前記第２又は前記第５の関数に基づいて変換した、前記第２のＬＥＤによる発光を補正するための第１のＬＥＤに対する階調データと、前記データ制御部から供給される本来前記第３のＬＥＤで発光させるべき色に関する階調データを、前記第３又は前記第６の関数に基づいて変換した、前記第３のＬＥＤによる発光を補正するための第１のＬＥＤに対する階調データと、を加算して前記ＬＥＤユニットに出力する第１の階調データ加算手段と、
前記データ制御部から供給される本来前記第２のＬＥＤで発光させるべき色に関する階調データを、前記第２又は前記第５の関数に基づいて変換した、前記第２のＬＥＤに対する階調データと、前記データ制御部から供給される本来前記第３のＬＥＤで発光させるべき色に関する階調データを、前記第３又は前記第６の関数に基づいて変換した、前記第１のＬＥＤによる発光を補正するための第２のＬＥＤに対する階調データと、前記データ制御部から供給される本来前記第１のＬＥＤで発光させるべき色に関する階調データを、前記第１又は前記第４の関数に基づいて変換した、前記第３のＬＥＤによる発光を補正するための第２のＬＥＤに対する階調データと、を加算して前記ＬＥＤユニットに出力する第２の階調データ加算手段と、
前記データ制御部から供給される本来前記第３のＬＥＤで発光させるべき色に関する階調データを、前記第３又は前記第６の関数に基づいて変換した、前記第３のＬＥＤに対する階調データと、前記データ制御部から供給される本来前記第１のＬＥＤで発光させるべき色に関する階調データを、前記第１又は前記第４の関数に基づいて変換した、前記第１のＬＥＤによる発光を補正するための第３のＬＥＤに対する階調データと、前記データ制御部から供給される本来前記第２のＬＥＤで発光させるべき色に関する階調データを、前記第２又は前記第５の関数に基づいて変換した、前記第２のＬＥＤによる発光を補正するための第３のＬＥＤに対する階調データと、を加算して前記ＬＥＤユニットに出力する第３の階調データ加算手段と、を備えているＬＥＤ駆動システム。
【請求項３】
前記第１乃至第６の関数を求める際に前記第１のＬＥＤ、前記第２のＬＥＤ及び前記第３のＬＥＤに流す駆動電流の大きさと、前記ＬＥＤユニットを駆動する際に前記第１のＬＥＤ、前記第２のＬＥＤ及び前記第３のＬＥＤに流す駆動電流の大きさは、それぞれ同一である請求項２に記載のＬＥＤ駆動システム。
【請求項４】
前記各階調データ加算手段にて加算された各々のＬＥＤに対する階調データに基づくＬＥＤそれぞれの発光において、
発光期間が最も長いＬＥＤの発光期間内に、他のＬＥＤの発光期間が含まれる請求項１または２に記載のＬＥＤ駆動システム。
【請求項５】
前記第１乃至第６の関数は、非線形である請求項２に記載のＬＥＤ駆動システム。
【請求項６】
前記第１のＬＥＤ、前記第２のＬＥＤおよび前記第３のＬＥＤは、それぞれ、赤色に発光する赤色ＬＥＤ、緑色に発光する緑色ＬＥＤおよび青色に発光する青色ＬＥＤである請求項２から５のいずれか一項に記載のＬＥＤ駆動システム。
【請求項７】
ＬＥＤユニット上に画素毎に配置された赤色に発光する赤色ＬＥＤ、緑色に発光する緑色ＬＥＤおよび青色に発光する青色ＬＥＤのそれぞれに対して各ＬＥＤの発光期間を決定する階調データを供給し、前記階調データに基づいて各々のＬＥＤを発光させるＬＥＤ駆動システムの制御方法において、
前記ＬＥＤ駆動システムの制御方法は、
本来赤色ＬＥＤで発光させるべき赤色に関する階調データを、第１の関数に基づいて、赤色ＬＥＤに対する階調データと、前記赤色ＬＥＤによる発光を補正するための緑色ＬＥＤに対する階調データと、前記赤色ＬＥＤによる発光を補正するための青色ＬＥＤに対する階調データに変換する第１の階調データ変換工程と、
本来緑色ＬＥＤで発光させるべき緑色に関する階調データを、第２の関数に基づいて、緑色ＬＥＤに対する階調データと、前記緑色ＬＥＤによる発光を補正するための青色ＬＥＤに対する階調データと、前記緑色ＬＥＤによる発光を補正するための赤色ＬＥＤに対する階調データに変換する第２の階調データ変換工程と、
本来青色ＬＥＤで発光させるべき青色に関する階調データを、第３の関数に基づいて、青色ＬＥＤに対する階調データと、前記青色ＬＥＤによる発光を補正するための赤色ＬＥＤに対する階調データと、前記青色ＬＥＤによる発光を補正するための緑色ＬＥＤに対する階調データに変換する第３の階調データ変換工程と、から選択された少なくとも１つの階調データ変換工程を含んでおり、
さらに、前記第１乃至第３の関数を求める際に流した駆動電流とは大きさが異なる駆動電流を流すことにより第４の関数、第５の関数および第６の関数を求める工程と、
本来赤色ＬＥＤで発光させるべき赤色に関する階調データを、前記第４の関数に基づいて、赤色ＬＥＤに対する階調データと、前記赤色ＬＥＤによる発光を補正するための緑色ＬＥＤに対する階調データと、前記赤色ＬＥＤによる発光を補正するための青色ＬＥＤに対する階調データに変換する第４の階調データ変換工程と、
本来緑色ＬＥＤで発光させるべき緑色に関する階調データを、前記第５の関数に基づいて、緑色ＬＥＤに対する階調データと、前記緑色ＬＥＤによる発光を補正するための青色ＬＥＤに対する階調データと、前記緑色ＬＥＤによる発光を補正するための赤色ＬＥＤに対する階調データに変換する第５の階調データ変換工程と、
本来青色ＬＥＤで発光させるべき青色に関する階調データを、前記第６の関数に基づいて、青色ＬＥＤに対する階調データと、前記青色ＬＥＤによる発光を補正するための赤色ＬＥＤに対する階調データと、前記青色ＬＥＤによる発光を補正するための緑色ＬＥＤに対する階調データに変換する第６の階調データ変換工程と、から選択された少なくとも１つの階調データ変換工程を含んでいるＬＥＤ駆動システムの制御方法。
【請求項８】
前記ＬＥＤ駆動システムの制御方法が、前記第１の階調データ変換工程、前記第２の階調データ変換工程および前記第３の階調データ変換工程を備え、且つ前記赤色に関する階調データに基づく発光と、前記緑色に関する階調データに基づく発光と、前記青色に関する階調データに基づく発光のうち少なくとも２つの発光を利用して画素毎に混色させる際、
前記第１の階調データ変換工程にて変換された赤色ＬＥＤに対する階調データと、前記第２の階調データ変換工程にて変換された赤色ＬＥＤに対する階調データと、前記第３の階調データ変換工程にて変換された赤色ＬＥＤに対する階調データを加算して１つの階調データとする第１の階調データ加算工程と、
前記第１の階調データ変換工程にて変換された緑色ＬＥＤに対する階調データと、前記第２の階調データ変換工程にて変換された緑色ＬＥＤに対する階調データと、前記第３の階調データ変換工程にて変換された緑色ＬＥＤに対する階調データを加算して１つの階調データとする第２の階調データ加算工程と、
前記第１の階調データ変換工程にて変換された青色ＬＥＤに対する階調データと、前記第２の階調データ変換工程にて変換された青色ＬＥＤに対する階調データと、前記第３の階調データ変換工程にて変換された青色ＬＥＤに対する階調データを加算して１つの階調データとする第３の階調データ加算工程のうち少なくともいずれか１つの工程を含む請求項７に記載のＬＥＤ駆動システムの制御方法。
【請求項９】
前記第１の階調データ加算工程にて加算された赤色ＬＥＤに対する階調データに基づく赤色ＬＥＤの発光と、前記第２の階調データ加算工程にて加算された緑色ＬＥＤに対する階調データに基づく緑色ＬＥＤの発光と、前記第３の階調データ加算工程にて加算された青色ＬＥＤに対する階調データに基づく青色ＬＥＤの発光において、
発光期間が最も長いＬＥＤの発光期間内に、他のＬＥＤの発光期間が含まれるように制御される請求項８に記載のＬＥＤ駆動システムの制御方法。
【請求項１０】
前記第１乃至第６の関数は、非線形である請求項７に記載のＬＥＤ駆動システムの制御方法。